(57)【要約】      （修正有）【課題】作業員の足と作業靴とのフィット性能を向上させた靴用足首サポーターを提供する。【解決手段】靴用足首サポーター１０は、サポーター本体２０と、サポーター本体２０を足首に固定するためのベルト部材５０を備え、サポーター本体２０は、略円筒形状をしており、内踝、外踝それぞれの形状に合わせた切り欠き４０Ｘ若しくは凹部を有する内部部材を、伸縮性繊維部材３０で覆うように縫製されている。【選択図】図２
0003225362.tif 000002
【実用新案登録請求の範囲】
【請求項１】
足首に装着可能な筒状に形成された伸縮性を有する靴用足首サポーターであって、
内踝、外踝それぞれの形状に合わせた切り欠き若しくは凹部を有する内部部材を、伸縮性の繊維部材で縫製したことを特徴とする靴用足首サポーター。
【請求項２】
前記内部部材は、エチレン・酢酸ビニル共重合樹脂等の発泡素材からなることを特徴とする請求項１に記載の靴用足首サポーター。
【請求項３】
前記靴用足首サポーターには、サポーター本体を足首に固定するためのベルト部材が設けられていることを特徴とする請求項１に記載の靴用足首サポーター。
【考案の詳細な説明】
【技術分野】
【０００１】  本考案は、作業靴や長靴のフィット性能を向上させ、作業効率をアップするための靴用足首サポーターに関するものである。
【背景技術】
【０００２】  従来、地震災害やその他様々な災害において救援活動時などにあたる作業員は、革製やゴム製の作業靴を使用していた。具体的には、作業靴の多くはゴム製防火靴であり、非常に重要な個人保護装備である。【０００３】  ところで、ゴム製防火靴を使用する際に最も重要な点は、踵のフィッテングである。これが全ての作業活動効率に影響を及ぼすと言っても過言ではない。作業中は常に踵の上下運動が繰り返されるため、底背屈動作においてゴム製防火靴に踵を追従させなければならない。（前足部を床につけ、踵が上がった状態を底屈、踵を床につけてつま先が上がった状態を背屈と呼ぶ。）人間の両足は左右でそれぞれの形状、大きさが異なり、個々で感じるフィット感には相違が見られるため、メーカーが苦慮する点のひとつでもある。【０００４】  通常流通しているゴム製防火靴においては、足のサイズが５ミリ間隔、足囲は３Ｅがほとんどである。ゴム製防火靴がフィットしない場合には、厚手の靴下や中敷き、ヒールカップなどを使用するなど、作業員それぞれで工夫を凝らしているが、思う様な効果を得られないのが実情である。【０００５】  この様にゴム製防火靴が完全にフィットしない状態で作業をした場合には、底屈動作時にゴムが伸び縮みするため左右の踝上部付近のゴムが変形し、踵とゴム製防火靴の踵部分が離れ、靴底の踵付近のすり減りが顕著に現れる。そのため、靴底の踵部分の引きずりを気にして通常より足を高く上げて歩くことにより、筋肉の動きが大きくなり、エネルギー消費や酸素供給量が増え、疲労を感じやすくなるという問題があった。また、ゴム製防火靴は一般的な靴よりも重量があるため負担が大きくなることによって怪我の原因にもなっていたのである。【０００６】  特許文献１には、「長方形状の薄いゴム布本体の中央部に靴の踵が挿嵌される大きさの開口部を設け、本体の両側縁に側縁相互を緊縛する結合金具を設け、開口部を長靴の踵に挿嵌し本体で長靴の足首部を覆い、結合金具で緊縛するようにした長靴用サポーター。」が開示されている。
特許文献２には、「足首の外踝および内踝の上で隣接して着用されるように構成された後部導入式アンクルカフと、アンクルカフから前方および下方に延びる踵開放型、およびつま先開放型の中足部材とを含むアンクルサポート。」が開示されている
特許文献３には、「ウレタンや綿等の柔軟な弾性体から成る内部装填材を伸縮布製の外皮で被履した素材にて、スキ―靴等の煙突部に対応する筒状の足首サポ―タ一本体を形成し、該本体下端部所定個所に甲部に対応する適宜量の切込み部を設けると共に、同本体の下端周辺の対向する二個所の間に足かけ用のベルトを連設して成るスキ―靴等の履用時に着用する足首サポーター。」が開示されている。
【先行技術文献】
【特許文献】
【０００７】
【特許文献１】実開昭５２−５４２３９１号公報
【特許文献２】特表２０１７−５２１１４５２号公報
【特許文献３】実公昭５２−３３３４０号公報
【考案の概要】
【考案が解決しようとする課題】
【０００８】  特許文献１は、作業性を向上させるための長靴用サポ―タではあるが、そもそも靴の外側に装着するもので、ゴムバンドを通して緊着するなど装着手段が煩雑であり、また構造が複雑である。
特許文献２には、作業時の自然な動きおよび快適性を犠牲にすることなく、足首を機能的に支持するアンクルブレースではあるが、この技術も複雑な機構を必要としており、器具の部品点数も多くなり、コストも掛かる。
特許文献３には、踝への当りを和らげ、捻座や靴擦れ防止、足の痛み除去、足の疲労軽減を目的とする足首サポ―タ―ではあるが、踝周辺の空隙を埋めることについては何ら触れられていない。そもそも靴本体が硬質素材であることを前提に、踝そのものの保護を目的としているものである。
そこで本考案の目的は、上記問題に鑑み、作業靴のフィット性能を向上させ、作業効率をアップするための靴用足首サポーターを提供することにある。
【課題を解決するための手段】
【０００９】  上記課題を解決するために、本考案の靴用足首サポーターは、筒状に形成された伸縮性を有する靴用足首サポーターであって、内踝、外踝それぞれの形状に合わせた切り欠き若しくは凹部を有するエチレン・酢酸ビニル共重合樹脂等からなる内部部材を、伸縮性の繊維部材で縫製したことを特徴とする。前期特徴により、外踝、内踝それぞれの周囲に発生する足首と作業靴内壁との空隙を埋めることができ、作業靴とのフィット性能を向上させることができる。【００１０】  更に、本考案の靴用足首サポーターは、サポーター本体を足首に固定するためのベルト部材が設けられていることを特徴とする前期特徴により、サポーター本体が適正な位置に固定されるだけで無く、作業靴内でサポーター本体の上方向の動きを抑制することができる。
【考案の効果】
【００１１】  上記の本考案によれば、作業員の足と作業靴とのフィット性能を向上させ、作業効率をアップすることができる。
【図面の簡単な説明】
【００１２】
【図１】本考案の靴用足首サポーターの全体斜視図である。
【図２】本考案の縫製後の靴用足首サポーターを説明するもので、（Ａ）は内踝側から、（Ｂ）は外踝側から見た略側面図である。
【図３】本考案の左右の内部部材を説明するもので、（Ａ）は内踝用内部部材、（Ｂ）は外踝用内部部材のそれぞれの側面図である。
【図４】本考案の靴用足首サポーターの使用状態を表す、サポーターを装着した状態の斜視図である。
【符号の説明】
【００１３】１０        靴用足首サポーター
２０        サポーター本体
３０        伸縮性繊維部材
４０        内部部材
４０ａ      内踝用内部部材
４０ｂ      外踝用内部部材
４０Ｘ      切り欠き部
５０        ベルト部材
【考案を実施するための形態】
【００１４】  以下に、本考案の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１５】  まず、図１に本考案の靴用足首サポーター１０を示す。なお、図１は、靴用足首サポーター１０の全体斜視図である。図１に示すように、靴用足首サポーター１０は、サポーター本体２０と、サポーター本体２０を足首に固定するためのベルト部材５０を備える。サポーター本体２０は、略円筒形状をしており、内部部材４０を伸縮性繊維部材３０で覆うように縫製されている。サポーター本体２０は、伸縮性繊維部材３０で覆われているため、足首の太さに拘わらず適度な締め付け感をもって装着することができる。なお、内部部材４０は円筒形に一体成形しても良いが、足首の太さに融通性を持たせるために分割されていることが好ましい。
【００１７】  では次に、図２を参照して、靴用足首サポーター１０の更に具体的な態様について説明する。なお、図２は、本考案の縫製後の靴用足首サポーター１０を説明するもので、（Ａ）は内踝側から、（Ｂ）は外踝側から見た略側面図である。図２に示すように、伸縮性繊維部材３０で縫製された内部部材４０は、左右の足首それぞれの形状、更にいえば内踝、外踝の形状や大きさに合わせて、それぞれ形成されている。更に、靴用足首サポーター１０は、サポーター本体２０を足首に固定するためのベルト部材５０を備える。このベルト部材５０によって、足裏反対方向へのサポーター本体２０がずれることを抑止している。更に切り欠き部４０Ｘを設けることによって、踝の周辺の下方、および足首の周囲方向への動きを抑止しているだけで無く、外踝、内踝それぞれの周囲に発生する足首と作業靴内壁との空隙を埋めることができ、作業靴とのフィット性能を向上させることができる。
【００１９】  では次に、図３を参照して、内部部材４０の更に具体的な態様について説明する。なお、図３は、本考案の左右の内部部材４０を説明するもので、（Ａ）は内踝用内部部材４０ａ、（Ｂ）は外踝用内部部材４０ｂのそれぞれの側面図である。図３に示すように、内部部材４０は内踝用内部部材４０ａ、外踝用内部部材４０ｂが用意されている。内部部材４０はエチレン・酢酸ビニル共重合樹脂やウレタンなどの発泡素材、若しくはシリコンやゴムなどの弾力性部材を使用すると好ましい。厚みについては、２ミリから３０ミリ程度まで、作業靴の素材や形態に合わせて選択することができる。切り欠き部４０Ｘの大きさについては、底背屈動作においてストレスがかからないように、それぞれつま先側は踝にかかる程度、中央は踝の上部、踵側は踝とアキレス腱の窪みまでとした。また、内踝、外踝それぞれの形状に合わせた。なお、内踝用内部部材４０ａ、外踝用内部部材４０ｂは一体成形しても良いが、それぞれ別の複数の部材として成形することが好ましい。
【００２１】  図４に示すように、靴用足首サポーター１０は左右それぞれの足首に装着して使用する。
【００２２】  なお、本考案の靴用足首サポーターは、前記の実施例に限定されず、実用新案登録請求の範囲に記載された範囲、実施形態の範囲で、種々の変形例、組み合わせが可能であり、これらの変形例、組み合わせもその権利範囲に含むものである。例えば、内部部材の素材においては、本考案の目的を達成することができる素材であれば柔軟性素材に限らず、ジェル状素材や樹脂ビーズなどであっても良い。
【図１】
0003225362.tif 000003
【図２】
0003225362.tif 000004
【図３】
0003225362.tif 000005
【図４】
0003225362.tif 000006